(57)【要約】      （修正有）【課題】卓上に置いて使用するときに、上肢の疲労軽減に加え、首、背及び腰等の疲労軽減に貢献できる操作補助具を提供する。【解決手段】操作補助具１０は、卓４０上に置くことが可能で、且つ、置いた状態で前腕３２を載せることが可能な補助具本体１１と、上腕３１、肘及び前腕３２によって抱え込むことが可能で、且つ、補助具本体１１に着脱可能に接続することが可能な抱え込み物品１２と、を備えている。【選択図】図１
2020109688.tif 000002
【特許請求の範囲】
【請求項１】
卓上に置いて上肢の一部を載せて使用される操作補助具であって、
（１）前記卓上に置くことが可能で、且つ、置いた状態で前記上肢の一部を載せることが可能な補助具本体と、
（２）前記上肢によって抱え込むことが可能で、且つ、抱え込むことで部分的に変形可能な抱え込み物品と、を備え、
前記補助具本体は、上面形状が略矩形状であって、一方側面から他方側面方向の最大長さが、背面から正面方向の最大長さ及び前記抱え込み物品の一方側面から他方側面方向の最大長さよりも長く、前記抱え込み物品を抱え込んだ状態において、前記上肢の一部を載せることが可能である、操作補助具。
【請求項２】
前記補助具本体は、変形可能である、請求項１に記載の操作補助具。
【請求項３】
前記補助具本体、及び前記抱え込み物品の少なくとも何れか一方には、布地で作製された外装の内側に弾性材が充填されている、請求項１または２に記載の操作補助具。
【請求項４】
前記抱え込み物品は、キャラクター又は動物を模したぬいぐるみである、請求項１〜３の何れか１項に記載の操作補助具。
【請求項５】
前記抱え込み物品は、前記補助具本体に接続されている、請求項４に記載の操作補助具。
【請求項６】
前記抱え込み物品は、変形可能な接続補助部を有し、
前記接続補助部には、前記補助具本体と前記抱え込み物品とを相互に接続するための接続部材を有している、請求項５に記載の操作補助具。
【請求項７】
前記接続補助部は、前記ぬいぐるみの手指を模している、請求項６に記載の操作補助具。
【請求項８】
前記接続部材は、前記補助具本体と前記抱え込み物品とを相互に着脱可能に接続する、請求項６または７に記載の操作補助具。
【請求項９】
前記接続部材は、相互の接続が前記補助具本体の長さ方向中央寄り位置において為されるように設けられている、請求項６〜８の何れか１項に記載の操作補助具。
【請求項１０】
前記補助具本体の質量は、前記抱え込み物品の質量よりも大きい、請求項１〜９の何れか１項に記載の操作補助具。
【請求項１１】
前記補助具本体の構成材料は、前記抱え込み物品の構成材料とは異なる、請求項１〜１０の何れか１項に記載の操作補助具。
【発明の詳細な説明】
【技術分野】
【０００１】
本発明は、卓上に置いて上肢の一部を載せて使用される操作補助具に関する。
【背景技術】
【０００２】
前記操作補助具に関しては、例えば後記特許文献１及び２に開示されているように、種々形態のものが提案されている。しかしながら、これら操作補助具は、上肢（手、手首、前腕、肘、上腕及び肩）の一部、具体的には手、手首又は前腕を載せて使用するものであるため、上肢の疲労軽減に効果はあるものの、首、背及び腰の疲労軽減にさほど効果は得難い。
【０００３】
首、背及び腰の疲労は、操作時における上体の姿勢に関係する。即ち、上体の姿勢が適正であるときに比べ、該姿勢が前のめりであるときに首、背及び腰にかかる負担は大きく、該負担によって首、背及び腰に疲労が生じ、該疲労の蓄積によって日常生活に支障をきたすような病状、例えば頸椎椎間板ヘルニアや腰椎椎間板ヘルニアに至る可能性もある。
【先行技術文献】
【特許文献】
【０００４】
【特許文献１】特開２０００−０４７７９５号公報
【特許文献２】特開２００５−２９３１８７号公報
【発明の概要】
【発明が解決しようとする課題】
【０００５】
本発明の課題は、卓上に置いて使用するときに、上肢の疲労軽減に加え、首、背及び腰等の疲労軽減に貢献できる操作補助具を提供することにある。
【課題を解決するための手段】
【０００６】
本発明は、卓上に置いて上肢の一部を載せて使用される操作補助具であって、（１）前記卓上に置くことが可能で、且つ、置いた状態で前記上肢の一部を載せることが可能な補助具本体と、（２）前記上肢によって抱え込むことが可能で、且つ、抱え込むことで部分的に変形可能な抱え込み物品と、を備え、前記補助具本体は、上面形状が略矩形状であって、一方側面から他方側面方向の最大長さが、背面から正面方向の最大長さ及び前記抱え
込み物品の一方側面から他方側面方向の最大長さよりも長く、前記抱え込み物品を抱え込んだ状態において、前記上肢の一部を載せることが可能である。
【発明の効果】
【０００７】
本発明によれば、卓上に置いて使用するときに、上肢の疲労軽減に加え、首、背及び腰等の疲労軽減に貢献できる操作補助具を提供することができる。
【図面の簡単な説明】
【０００８】
【図１】図１は本発明に係る操作補助具の使用状態を示す図である。
【図２】図２は図１の上面図である。
【図３】図３（Ａ）は図１及び図２に示した補助具本体の正面図、図３（Ｂ）は図３（Ａ）に示した補助具本体の側面図、図３（Ｃ）は図３（Ａ）に示した補助具本体の上面図、図３（Ｄ）は図３（Ａ）に示した補助具本体の背面図である。
【図４】図４（Ａ）は図１及び図２に示した抱え込み物品の正面図、図４（Ｂ）は図４（Ａ）に示した抱え込み物品の側面図、図４（Ｃ）は図４（Ａ）に示した抱え込み物品の上面図、図４（Ｄ）は図４（Ａ）に示した抱え込み物品の背面図である。
【図５】図５（Ａ）及び図５（Ｂ）は、接続方法の説明図である。
【図６】図６は図１及び図２に示した操作補助具の変形例を示す図である。
【発明を実施するための形態】
【０００９】
先ず、図１及び図２を引用して、本発明に係る操作補助具１０の使用状態について説明する。因みに、図１及び図２中の２０はノートブック型のコンピュータを示し、３０は操作者を示し、４０は机やテーブル等の卓を示す。操作者３０は、椅子（図示省略）に座って、卓４０上に置かれたコンピュータ２０のキーボード２１をディスプレイ２２を見ながら指先で操作している。
【００１０】
図１及び図２に示したように、操作補助具１０は、着脱可能に接続された補助具本体１１と抱え込み物品１２とを備えている。補助具本体１１は、卓４０上のコンピュータ２０の手前に置かれ、その上に操作者３０の上肢（手３３、手首、前腕３２、肘、上腕３１及び肩）の一部、具体的には前腕３２が置かれている。また、抱え込み物品１２は、操作者３０の上腕３１、肘及び前腕３２によって抱え込まれており、正面が補助具本体１１又は卓４０に接し、背面が操作者３０の胸３４及び腹３５に接し、下端が操作者３０の大腿３６に接している。
【００１１】
次に、図３を引用して、補助具本体１１について説明する。因みに、図３中のＬ１１は補助具本体１１の最大長さを示し、Ｗ１１は補助具本体１１の最大幅を示し、Ｔ１１は補助具本体１１の最大厚さを示す。
【００１２】
補助具本体１１は、図３（Ｃ）に示したように上面形状が略矩形状で、寸法例を挙げれば最大長さＬ１１は３８ｃｍ前後、最大幅Ｗ１１は１２ｃｍ前後、最大厚さＴ１１は６．５ｃｍ前後である。この補助具本体１１は、布地等で作製された外装の内側に好ましくは弾性材を充填したものであり、全体が弾性を有している。この場合の弾性材には、例えば低反発弾性フォーム、高反発弾性フォーム、合成綿、天然綿、ダウン、フェザー、これらの組み合わせ等が適宜使用できる。補助具本体１１は変形が可能であれば必ずしも弾性に富むものでなくても良いため、この場合には前記弾性材の代わりに、或いは、前記弾性材と併せて、例えば合成樹脂ビーズ、合成樹脂パイプ、そば殻、これらの組み合わせ等を適宜使用しても良い。
【００１３】
また、補助具本体１１は、図３（Ｂ）〜図３（Ｄ）に示したように、背面側の長さ方向中央寄り位置に２個の接続部材１１ａを間隔をおいて有している。この接続部材１１ａとしては、補助具本体１１に糸によって縫い付けたボタン（図５を参照）の他、スナップボタンの凸部材と凹部材の一方や、面ファスナーのフック側部材とループ側部材の一方等、接続及びその解除が簡単、且つ、安全に行える手段が適宜使用できる。
【００１４】
次に、図４を引用して、抱え込み物品１２について説明する。因みに、図４中のＨ１２は抱え込み物品１２の最大高さを示し、Ｗ１２は抱え込み物品１２の最大幅を示し、Ｔ１２は抱え込み物品１２の最大厚さを示す。
【００１５】
抱え込み物品１２は、図４（Ａ）〜図４（Ｄ）に示したように全体が丸みを帯びたものであり、寸法例を挙げれば最大高さＨ１２は４３ｃｍ前後、最大幅Ｗ１２は２６ｃｍ前後、最大厚さＴ１２は３０ｃｍ前後である。この抱え込み物品１２は、布地等で作製された外装の内側に好ましくは弾性材を充填したものであり、全体が弾性を有している。この場合の弾性材には、例えば低反発弾性フォーム、高反発弾性フォーム、合成綿、天然綿、ダウン、フェザー、これらの組み合わせ等が適宜使用できる。また、抱え込み物品１２は変形が可能であれば必ずしも弾性に富むものでなくても良いため、この場合には前記弾性材の代わりに、或いは、前記弾性材と併せて、例えば合成樹脂ビーズ、合成樹脂パイプ、そば殻、これらの組み合わせ等を適宜使用しても良い。
【００１６】
また、抱え込み物品１２は、図４（Ａ）〜図４（Ｃ）に示したように、正面の高さ方向中央又はその付近に凹部１２ａを有しており、該凹部１２ａの最深部又はその付近に変形可能な２個の接続補助部１２ｂを前記２個の接続部材１１ａと略向き合うように有しており、各接続補助部１２ｂに接続部材１２ｃを有している。この接続部材１２ｃとしては、接続補助部１２ｂに糸によって縫い付けた環状ひも（図５を参照）の他、スナップボタンの凸部材と凹部材の他方や、面ファスナーのフック側部材とループ側部材の他方等、接続及びその解除が簡単、且つ、安全に行える手段が適宜使用できる。
【００１７】
さらに、抱え込み物品１２は、操作者３０に安堵感及び安心感を与える役割も果たすものであるため、キャラクター又は動物を模したぬいぐるみであることが好ましい。この場合には、前記接続補助部１２ｂを手指を模したものとすると共に、抱え込み物品１２に目、耳、口、足等を適宜付加したものとする。このようなぬいぐるみであれば、操作者３０により高い安堵感及び安心感を与えることができ、加えて心地良い感覚をも与えることができる。
【００１８】
次に、図５を引用して、補助具本体１１と抱え込み物品１２との接続手順、並びに、接続解除手順について説明する。
【００１９】
補助具本体１１と抱え込み物品１２とを接続するときには、図５（Ａ）に示したように抱え込み物品１２の接続部材（環状ひも）１２ｃを広げ、これを補助具本体１１の接続部材（ボタン）１１ａに被せた後、図５（Ｂ）に示したように抱え込み物品１２の接続部材（環状ひも）１２ｃが補助具本体１１の接続部材（ボタン）１１ａにしっかりと係合するように接続補助部１２ｂを移動させる。また、接続部材１１ａ及び１２ｃとして前記以外の接続手段を用いた場合、例えばスナップボタンを用いた場合には凸部材と凹部材を相互に係合して接続を行えば良く、接続部材１１ａ及び１２ｃとして面ファスナーを用いた場合にはフック側部材とループ側部材を相互に係合して接続を行えば良い。
【００２０】
先に述べたように、補助具本体１１には、背面側の長さ方向中央寄り位置に２個の接続部材１１ａが間隔をおいて設けられており（図３（Ｂ）〜図３（Ｄ）を参照）、抱え込み物品１２には、正面の高さ方向中央又はその付近に凹部１２ａが設けられ、該凹部１２ａの最深部又はその付近に変形可能な２個の接続補助部１２ｂが前記２個の接続部材１１ａと略向き合うように設けられ、各接続補助部１２ｂに接続部材１２ｃが設けられている（図４（Ａ）〜図４（Ｃ）を参照）。そのため、補助具本体１１の各接続部材１１ａと抱え込み物品１２の各接続部材１２ｃの接続は、該補助具本体１１の長さ方向中央寄り位置において為されることになる。
【００２１】
一方、補助具本体１１と抱え込み物品１２との接続を解除するときには、図５（Ｂ）において抱え込み物品１２の接続部材（環状ひも）１２ｃを広げ、これを補助具本体１１の接続部材（ボタン）１１ａから抜き出せば良い。また、接続部材１１ａ及び１２ｃとして前記以外の接続手段を用いた場合、例えばスナップボタンを用いた場合には凸部材と凹部材との係合を解いて接続解除を行えば良く、接続部材１１ａ及び１２ｃとして面ファスナーを用いた場合にはフック側部材とループ側部材との係合を解いて接続解除を行えば良い。接続手順及び接続解除手順が簡単な作業であるため、これらに時間を要することもないし、簡単な作業でありつつも補助具本体１１と抱え込み物品１２との接続を確実に行うことができる。
【００２２】
次に、図１及び図２を再度引用して、補助具本体１１と抱え込み物品１２とが接続された操作補助具１０を使用するときの好ましい方法例について説明する。
【００２３】
操作者３０は、椅子に座った後に抱え込み物品１２を大腿３６の上に載せると共に、卓４０上のコンピュータ２０の手前に補助具本体１１を置き、椅子を前にずらして抱え込み物品１２を胸３４及び腹３５で前に押すようにしてコンピュータ２０との距離を調整する。抱え込み物品１２の各接続補助部１２ｂは変形が可能であり、ある程度の長さを有しているため、抱え込み物品１２の高さ位置が多少異なっても、卓４０上に置いた補助具本体１１に位置ズレを生じることはない。
【００２４】
続いて、操作者３０は上腕３１、肘及び前腕３２によって抱え込み物品１２を抱え込みながら、前腕３２を補助具本体１１の長さ方向両端部に置く。この後、操作者３０は卓４０上に置かれたコンピュータ２０のキーボード２１をディスプレイ２２を見ながら指先で操作する。補助具本体１１の最大長さＬ１１が抱え込み物品１２の最大幅Ｗ１２よりも長く、該補助具本体１１の長さ方向両端部に前腕３２を載せることが可能な部位が操作者３０から視認できるように顕在するため、補助具本体１１に前腕３２を載せる動作は難なく行うことができる。
【００２５】
図１及び図２に示した使用状態にあっては、前記の位置調整、並びに、前記の抱え込みに応じて抱え込み物品１２は部分的に変形するものの、操作者３０の上体の姿勢は該操作者３０と卓４０との間に介在する抱え込み物品１２による矯正作用を受けるため、該上体の姿勢が極端に前のめりにはなることはない。また、図１及び図２に示した使用状態にあっては、操作者３０の上腕３１、肘及び前腕３２によって抱え込まれた抱え込み物品１２は、正面が補助具本体１１又は卓４０に接し、背面が操作者３０の胸３４及び腹３５に接し、下端が操作者３０の大腿３６に接する他、凹部１２ａの最深部分よりも上の部分が補助具本体１１に接した状態となるため、該抱え込み物品１２が操作時に位置ズレを生じたり揺れ動きを生じたりすることはない。
【００２６】
本実施形態においては、卓上に置かれたコンピュータ等の電子機器を操作するときに使用される操作補助具として説明したが、コンピュータ等の電子機器を操作するときの使用に限られず、読書をするときや描画をするとき等、何らかの作業をするときの使用にも適用可能である。
【００２７】
次に、前述の本実施形態における操作補助具１０によって得られる効果について説明する。因みに、後記Ｅ１〜Ｅ８は効果を示す記号である。
【００２８】
（Ｅ１）操作補助具１０は、操作者３０の前腕３２を載せることが可能な補助具本体１１を有すると共に、操作者３０の上腕３１、肘及び前腕３２によって抱え込むことが可能な抱え込み物品１２を有しており、該抱え込み物品１２によって上体の姿勢が前のめりになることを抑制できるため、上肢の疲労軽減に加え、首、背及び腰の疲労軽減に貢献することができる。しかも、操作者３０の上腕３１、肘及び前腕３２によって抱え込まれた抱え込み物品１２は、該操作者３０に安堵感及び安心感を与える役割も果たすため、操作時の精神的な疲労軽減にも貢献することができる。さらに、抱え込み物品１２を抱え込むことにより左右の前腕３２間や上腕３１間の距離を一定に保ちつつコンピュータ等の電子機器の操作を行うことができる。
【００２９】
（Ｅ２）補助具本体１１と抱え込み物品１２とが相互を着脱可能に接続するための接続部材１１ａ及び１２ｃをそれぞれ有しているため、該接続部材１１ａ及び１２ｃを利用して補助具本体１１と抱え込み物品１２の接続及び接続解除を簡単に行うことができる。
【００３０】
（Ｅ３）補助具本体１１と抱え込み物品１２が弾性を有する場合には、補助具本体１１による上肢の疲労軽減を効果的に行えると共に、上肢による抱え込み物品１２の抱え込みを違和感なく自然に行えることから操作者３０に与える前記の安堵感及び安心感をより高めることができる。
【００３１】
（Ｅ４）補助具本体１１の各接続部材１１ａと抱え込み物品１２の各接続部材１２ｃの接続を該補助具本体１１の長さ方向中央寄り位置において行えるため、操作者３０が補助具本体１１に前腕３２を載せるときにこれら接続部材１１ａ及び１２ｃが邪魔になることはない。
【００３２】
（Ｅ５）補助具本体１１の最大長さＬ１１が抱え込み物品１２の最大幅Ｗ１２よりも長く、該補助具本体１１の長さ方向両端部に前腕３２を載せることが可能な部位が操作者３０から視認できるように顕在するため、補助具本体１１に前腕３２を載せる動作を難なく行うことができる。
【００３３】
（Ｅ６）操作者３０の上腕３１、肘及び前腕３２によって抱え込まれた抱え込み物品１２は、凹部１２ａの最深部分よりも上の部分が補助具本体１１に接した状態となるため、該抱え込み物品１２が操作時に位置ズレを生じたり揺れ動きを生じたりすることはない。
【００３４】
（Ｅ７）抱え込み物品１２がキャラクター又は動物を模したぬいぐるみである場合には、より高い安堵感及び安心感を操作者３０に与えることができ、加えて心地良い感覚をも操作者３０に与えることができる。
【００３５】
（Ｅ８）抱え込み物品１２がキャラクター又は動物を模したぬいぐるみである場合には、接続補助部１２ｂを手指を模したものとすることにより、接続補助部１２ｂに対する違和感を排除して外観上の見栄えを良くすることができると共に、操作者３０が操作補助具１０に対して抱く愛着や愛おしさを深めることができる。
【００３６】
次に、図１〜図５を引用して説明した操作補助具１０の変形例について説明する。因みに、後記Ｍ１〜Ｍ５は変形例を示す記号である。
【００３７】
（Ｍ１）抱え込み物品１２に接続補助部１２ｂを設けて、該接続補助部１２ｂに接続部材１２ｃ（環状ひも他）を設けたものを示したが、接続補助部１２ｂを排除して、接続部材１２ｃを直接抱え込み物品１２に設けるようにしても良い。
【００３８】
（Ｍ２）補助具本体１１の最大長さＬ１１を抱え込み物品１２の最大幅Ｗ１２よりも長くしたものを示したが、補助具本体１１の最大長さＬ１１を抱え込み物品１２の最大幅Ｗ１２と同等になるようにしても、該抱え込み物品１２は上肢による抱え込みにより変形するため、補助具本体１１の長さ方向両端部に上肢の一部（前腕３２他）を載せることは十分に可能である。
【００３９】
（Ｍ３）使用状態において抱え込み物品１２の凹部１２ａの最深部分よりも上の部分が補助具本体１１に接するものを示したが、接していなくても、上肢によって抱え込まれた抱え込み物品１２に操作上で気になるような位置ズレや揺れ動きを生じることはない。
【００４０】
（Ｍ４）補助具本体１１の体積が抱え込み物品１２の体積よりも大きく、単位体積当たりの質量が同じ場合又は近似する場合には補助具本体１１の質量が抱え込み物品１２の質量よりも小さくなるものを示したが、補助具本体１１の質量を抱え込み物品１２の質量よりも大きくすれば、操作者３０が卓４０から離れた場合でも、該卓４０から操作補助具１０が落下することを防止できる。補助具本体１１の質量を抱え込み物品１２の質量よりも大きくする手法としては、補助具本体１１の構成材料に抱え込み物品１２の構成材料と異なるものを用いて、該補助具本体１１の質量を抱え込み物品１２の質量よりも大きくする手法の他、補助具本体１１内の好ましくは下部に金属板、合成ゴム板、粘土や砂から成る層、合成樹脂板、これらの組み合わせ等の重りの代用となるものを設けて、該補助具本体１１の質量を抱え込み物品１２の質量よりも大きくする手法を挙げることができる。
【００４１】
（Ｍ５）抱え込み物品１２がキャラクター又は動物を模したぬいぐるみである場合には、図６に示したように補助具本体１１の上面にはキーボードを模した模様１１ｂを付すと共に、手指を模した接続補助部１２ｂを該模様１１ｂ上に位置するように構成して、該手指があたかもキーボードを操作している様子を認識できるようにすれば、操作者３０が操作補助具１０に対して抱く愛着や愛おしさといった感情をより一層深めることができる。
【００４２】
１０…操作補助具、１１…補助具本体、１１ａ…接続部材、１１ｂ…模様、１２…抱え込み物品、１２ａ…凹部、１２ｂ…接続補助部、１２ｃ…接続部材、２０…コンピュータ、３０…操作者、３１…上腕、３２…前腕、３３…手、３４…胸、３５…腹、３６…大腿、４０…卓。
【図１】
2020109688.tif 000003
【図２】
2020109688.tif 000004
【図３】
2020109688.tif 000005
【図４】
2020109688.tif 000006
【図５】
2020109688.tif 000007
【図６】
2020109688.tif 000008
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
卓上に置いて上肢の一部を載せて使用される操作補助具であって、
（１）前記卓上に置くことが可能で、且つ、置いた状態で前記上肢の一部を載せることが可能な補助具本体と、
（２）前記上肢によって抱え込むことが可能な抱え込み物品と、を備え、
前記補助具本体は、その長さ方向中央寄り位置において前記抱え込み物品と接続される、操作補助具。
【請求項２】
前記補助具本体の長さ方向中央寄り位置は、前記補助具本体に前記上肢の一部を載せた状態において、前記上肢の一部により干渉しない位置である、請求項１に記載の操作補助具。
【請求項３】
前記補助具本体、及び前記抱え込み物品の少なくとも何れか一方には、布地で作製された外装の内側に弾性材が充填されている、請求項１または２に記載の操作補助具。
【請求項４】
前記抱え込み物品は、キャラクター又は動物を模したぬいぐるみである、請求項１〜３の何れか１項に記載の操作補助具。
【請求項５】
前記抱え込み物品は、変形可能な接続補助部を有し、
前記接続補助部には、前記補助具本体と前記抱え込み物品とを相互に接続するための接続部材を有している、請求項１〜４の何れか１項に記載の操作補助具。
【請求項６】
前記接続補助部は、前記ぬいぐるみの手指を模している、請求項５に記載の操作補助具。
【請求項７】
前記接続部材は、前記補助具本体と前記抱え込み物品とを相互に着脱可能に接続する、請求項５または６に記載の操作補助具。
【請求項８】
前記接続部材は、相互の接続が前記補助具本体の長さ方向中央寄り位置において為されるように設けられている、請求項５〜７の何れか１項に記載の操作補助具。
【請求項９】
前記補助具本体の質量は、前記抱え込み物品の質量よりも大きい、請求項１〜８の何れか１項に記載の操作補助具。
【請求項１０】
前記補助具本体の構成材料は、前記抱え込み物品の構成材料とは異なる、請求項１〜９の何れか１項に記載の操作補助具。
【手続補正２】
【補正対象書類名】明細書
【補正対象項目名】０００６
【補正方法】変更
【補正の内容】
【０００６】
本発明は、卓上に置いて上肢の一部を載せて使用される操作補助具であって、（１）前記卓上に置くことが可能で、且つ、置いた状態で前記上肢の一部を載せることが可能な補助具本体と、（２）前記上肢によって抱え込むことが可能な抱え込み物品と、を備え、前記補助具本体は、その長さ方向中央寄り位置において前記抱え込み物品と接続される。